(57)【要約】  【課題】背景映像が選択可能に形成されたカラオケシステムで、所定の楽曲における背景映像に対して利用者の嗜好性が確認された場合は、その都度、利用者が背景映像を選択しなくても当該背景映像が自動的に表示されるようにする。  【解決手段】カードリーダ５３が利用者のＩＣカード５２から利用者ＩＤを識別して取得し、利用者がカラオケシステムにログインする。カラオケシステムには、演奏楽曲や歌詞の内容に対応してジャンル分けされた複数の背景映像が記録されており、利用者が予約入力部５１により所望の楽曲を選択して予約登録する際に、前記複数ジャンルの背景映像の中から、所望の背景映像を選択する。選択された背景映像ＩＤは利用者ＩＤ毎に記録され、その背景映像に対する利用者の選択頻度が基準値以上になったときに、当該利用者の背景映像としてデフォルト設定する。【選択図】図１
2007271814.tif 000002
【特許請求の範囲】
【請求項１】
カラオケ演奏装置に背景映像選択手段と、利用者ＩＤ取得手段と、利用者別選択背景映像記録手段と、利用者別楽曲別背景映像設定手段を備えたカラオケシステムであって、
背景映像選択手段は、所定の楽曲についてジャンル分けされた複数の背景映像の中から所望の背景映像を選択可能に形成され、
利用者ＩＤ取得手段は、利用者が当該カラオケシステムにログインする際に、利用者ＩＤ記録媒体から利用者ＩＤを識別して取得し、
利用者別選択背景映像記録手段は、利用者ＩＤが取得された当該利用者が所望の楽曲を予約登録する際に、前記ジャンルの中から任意の背景映像を選択したときに、選択された背景映像ＩＤを取得して利用者ＩＤ毎に当該背景映像ＩＤの選択頻度を記録し、
利用者別楽曲別背景映像設定手段は、前記所定の楽曲について記録されている背景映像ＩＤの選択頻度が予め決められた基準値以上になったときに、当該背景映像ＩＤを当該利用者が前記所定の楽曲を選択した場合の背景映像としてデフォルト設定するように構成されたことを特徴とする背景映像選択の利用者別デフォルト設定機能付きカラオケシステム。
【発明の詳細な説明】
【技術分野】
【０００１】
本発明は背景映像選択の利用者別デフォルト設定機能付きカラオケシステムに関するものであり、特に、背景映像を選択したときの頻度を利用者毎に記録してデフォルト設定できるようにしたカラオケシステムに関するものである。
【背景技術】
【０００２】
カラオケシステムは、カラオケ伴奏の演奏楽曲と歌詞画像を同期して音響映像出力するものであるが、一般に歌詞画像は動画を背景映像にして一緒に表示される。この背景映像は、長時間分の背景映像の中から演奏楽曲や歌詞の内容に対応するジャンル別に映像を使い回す共用映像方式と、特定の楽曲専用に作成された専用映像方式とがある。
【０００３】
近時、利用者が演奏楽曲を選択する際に、複数の背景映像の中から所望の背景映像を選択できるようにしたカラオケシステムが提案されている（例えば特許文献１参照）。
【特許文献１】特開２００４−３５４８０３号公報
【発明の開示】
【発明が解決しようとする課題】
【０００４】
特許文献１記載の発明は、入力装置で入力する選曲番号に付随して、単一の番号入力に応じて複数の背景映像の中から所定の背景映像を選択するものである。従って、利用者は比較的簡単に背景映像を選択することができる。
【０００５】
ここで、利用者に好みの背景映像がある場合は、次に選曲する場合も前回と同一の背景映像を選択することがある。特許文献１記載の発明では、背景映像を毎回選択する必要があり、入力操作が面倒である。
【０００６】
そこで、背景映像が選択可能に形成されたカラオケシステムで、所定の楽曲における背景映像に対して利用者の嗜好性が確認された場合は、その都度、利用者が背景映像を選択しなくても当該背景映像が自動的に表示されるようにするために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、カラオケ演奏装置に背景映像選択手段と、利用者ＩＤ取得手段と、利用者別選択背景映像記録手段と、利用者別楽曲別背景映像設定手段を備えたカラオケシステムであって、背景映像選択手段は、所定の楽曲についてジャンル分けされた複数の背景映像の中から所望の背景映像を選択可能に形成され、利用者ＩＤ取得手段は、利用者が当該カラオケシステムにログインする際に、利用者ＩＤ記録媒体から利用者ＩＤを識別して取得し、利用者別選択背景映像記録手段は、利用者ＩＤが取得された当該利用者が所望の楽曲を予約登録する際に、前記ジャンルの中から任意の背景映像を選択したときに、選択された背景映像ＩＤを取得して利用者ＩＤ毎に当該背景映像ＩＤの選択頻度を記録し、利用者別楽曲別背景映像設定手段は、前記所定の楽曲について記録されている背景映像ＩＤの選択頻度が予め決められた基準値以上になったときに、当該背景映像ＩＤを当該利用者が前記所定の楽曲を選択した場合の背景映像としてデフォルト設定するように構成されたことを特徴とする背景映像選択の利用者別デフォルト設定機能付きカラオケシステムを提供する。
【０００８】
この構成によれば、利用者がカラオケシステムを利用する際は、当該カラオケシステムに備えられている利用者ＩＤ取得手段が、当該利用者の利用者ＩＤ記録媒体から利用者ＩＤを識別して取得することにより、カラオケシステムにログインできる。当該カラオケシステムには、演奏楽曲や歌詞の内容に対応してジャンル分けされた複数の背景映像が記録されており、利用者が所望の楽曲を選択して予約登録する際に、前記複数ジャンルの背景映像の中から、所望の背景映像を選択する。当該利用者が前記ジャンルの中から所定の背景映像を選択したときは、選択された背景映像ＩＤを取得し、取得された背景映像ＩＤの選択頻度を利用者ＩＤ毎に記録する。そして、所定の楽曲における背景映像に対して、所定の利用者の選択頻度が基準値以上になったときは、当該背景映像がデフォルト設定され、当該利用者が前記所定の楽曲を選択した場合にデフォルト設定された背景映像が自動的に表示される。
【発明の効果】
【０００９】
本発明は、上述したように、背景映像が選択可能なカラオケシステムで利用者毎に背景映像の選択頻度を記録し、所定の楽曲における背景映像の選択頻度が基準値以上になったときは当該背景映像をデフォルト設定するので、当該利用者が前記所定の楽曲を選択した場合に、その都度、当該背景映像が自動的に表示され、背景映像を選択入力する手間が省けて操作性を向上することができる。
【発明を実施するための最良の形態】
【００１０】
以下、本発明に係る背景映像選択の利用者別デフォルト設定機能付きカラオケシステムについて、好適な実施例をあげて説明する。背景映像が選択可能に形成されたカラオケシステムで、所定の楽曲における背景映像に対して利用者の嗜好性が確認された場合は、その都度、利用者が背景映像を選択しなくても当該背景映像が表示されるようにするという目的を達成するために、本発明はカラオケ演奏装置に背景映像選択手段と、利用者ＩＤ取得手段と、利用者別選択背景映像記録手段と、利用者別楽曲別背景映像設定手段を備えたカラオケシステムであって、背景映像選択手段は、所定の楽曲についてジャンル分けされた複数の背景映像の中から所望の背景映像を選択可能に形成され、利用者ＩＤ取得手段は、利用者が当該カラオケシステムにログインする際に、利用者ＩＤ記録媒体から利用者ＩＤを識別して取得し、利用者別選択背景映像記録手段は、利用者ＩＤが取得された当該利用者が所望の楽曲を予約登録する際に、前記ジャンルの中から任意の背景映像を選択したときに、選択された背景映像ＩＤを取得して利用者ＩＤ毎に当該背景映像ＩＤの選択頻度を記録し、利用者別楽曲別背景映像設定手段は、前記所定の楽曲について記録されている背景映像ＩＤの選択頻度が予め決められた基準値以上になったときに、当該背景映像ＩＤを当該利用者が前記所定の楽曲を選択した場合の背景映像としてデフォルト設定するように構成することにより実現した。
【実施例１】
【００１１】
図１は本発明に係るカラオケシステムの全体構成図であり、カラオケ演奏装置１０はＣＰＵ、ＲＡＭ、ＲＯＭ等を含む中央制御部１１を有し、ルータやモデム等の回線終端装置１２を介してネットワーク通信回線１００に接続され、該ネットワーク通信回線１００を介してカラオケホスト装置２００に接続されている。後述するように、カラオケ演奏装置１０から利用者の選曲情報をカラオケホスト装置２００へ送り、カラオケホスト装置２００からカラオケデータを受け取ってハードディスク装置１３に格納する。また、利用者から利用者ＩＤを取得してカラオケホスト装置２００へ送り、カラオケホスト装置２００から当該利用者の利用者情報を受け取る。
【００１２】
カラオケ演奏装置１０はリモコン装置５０を有し、該リモコン装置５０には表示部と入力部が一体になったグフィカルユーザーインターフェイス（以下ＧＵＩという）５１が設けられている。利用者がＧＵＩ５１に表示される楽曲一覧から所望の楽曲を選択すれば、リモコン装置５０からカラオケ演奏装置１０へ当該楽曲ＩＤを含む選曲情報信号が送信される。この選曲情報信号がカラオケ演奏装置１０に備えられているリモコン送受信部１４にて受信されると、受信された選曲情報信号が操作制御部１５を介して前記中央制御部１１に送られる。また、カラオケ演奏装置１０の本体に設けられている操作パネル１６にて直接楽曲ＩＤを入力した場合も、操作パネル１６から操作制御部１５を介して前記中央制御部１１に選曲情報信号が送られる。
【００１３】
中央制御部１１は操作制御部１５から選曲情報信号を受け取ると、選択された楽曲を選曲予約手段にて予約し、該当するカラオケデータを前記ハードディスク装置１３から読み出す。選曲情報に該当するカラオケデータがハードディスク装置１３に存在しないときは、前述した回線終端装置１２を介してネットワーク通信回線１００と接続し、前記カラオケホスト装置２００から該当するカラオケデータをダウンロードしてハードディスク装置１３に格納する。
【００１４】
前記カラオケデータは、カラオケ楽曲の伴奏音楽を生成するための演奏データと、モニタ等の表示手段に出力される歌詞テロップおよび背景映像である動画等を含んでいる。演奏データはＭＩＤＩ規格などで符号化された音源制御情報であり、画像データはコード化された歌詞文字群やＭＰＥＧ規格などで圧縮された映像の情報を含んでいる。
【００１５】
中央制御部１１は該当するカラオケデータから楽曲データをシンセサイザ１７に順次転送し、該シンセサイザ１７はこの楽曲データに従って伴奏音楽を生成する。シンセサイザ１７によって生成された伴奏音楽は、ミキシングアンプ１８を通ってスピーカ１９から再生される。一方、利用者が歌唱する音声はマイク２０に集音され、前記ミキシングアンプ１８で伴奏音楽とミキシングされてスピーカ１９から再生される。
【００１６】
また、中央制御部１１は当該カラオケデータからこの伴奏音楽の生成に同期させて歌詞描出データを処理し、歌詞文字群を順次映像制御部２１にビットマップ展開させる。さらに、当該カラオケデータから楽曲に対応する動画データを抽出し、映像制御部２１にて背景映像に前記歌詞文字群をスーパーインポーズし、背景映像と歌詞文字群を表示手段であるモニタ２２の画面に表示させる。
【００１７】
ここで、前記リモコン装置５０にはＧＵＩ５１のほかに、利用者ＩＤ記録媒体の一例であるＩＣカード５２を読み取るためのカードリーダ５３が設けられている。利用者が自分のＩＣカード５２を前記カードリーダ５３にセットすれば、利用者ＩＤ取得手段としてのカードリーダ５３が利用者ＩＤを識別して取得し、取得された利用者ＩＤが前記中央制御部１１に送られる。そして、ネットワーク通信回線１００によりカラオケホスト装置２００へ転送されて、当該利用者がカラオケシステムにログインすることができる。
【００１８】
利用者ＩＤが取得されてカラオケシステムにログインすると、カラオケホスト装置２００から当該利用者の利用者情報がダウンロードされ、当該利用者が歌唱した楽曲履歴や登録したお気に入り曲名などが、利用者の操作に応じてモニタ２２あるいはリモコン装置５０のＧＵＩ５１に表示される。また、後述する背景映像を選択する際に、当該利用者の選択頻度が高い背景映像をデフォルト設定することもできる。
【００１９】
なお、前記利用者ＩＤ記録媒体としては前述のＩＣカード５２に限定されず、例えば携帯電話に利用者ＩＤを記録するマイクロチップを内蔵しておき、該携帯電話をリモコン装置にセットして利用者ＩＤを読み取るように構成することもできる。かかる構成の場合は、特にＩＣカードを別途用意する必要がなく、利用者が通常に持っている携帯電話にてカラオケシステムにログインすることができ、当該利用者が使用する楽器の選択も自動的に行われる。また、利用者ＩＤ記録媒体から利用者ＩＤを読み取る装置は、前記リモコン装置５０に設けなくてもよく、他の機器或いは単独して設置してもよい。
【００２０】
ここで、背景映像について述べれば、前述した共用映像ならびに専用映像の何れの形式にしても、従来のカラオケシステムでは、ほとんどの場合、利用者が背景映像を選択することはできなかったが、本発明のカラオケシステムでは、所定の楽曲についてジャンル分けされた複数の背景映像の中から所望の背景映像を利用者が選択できるように形成されている。
【００２１】
図２は制御手順のフローチャート、図３は制御手段のブロック図、図４〜図７は背景映像の選択画面である。図１〜図７に従って、当該カラオケシステムにおける背景映像選択操作について説明する。なお、説明の都合上、以下とくに記述がないかぎり、各手段のプログラムあるいは各手段によって生成または記録されるデータは、カラオケ演奏装置１０の中央制御部１１内のメモリもしくはハードディスク装置１３に記録されるものとする。
【００２２】
先ず、利用者ＩＤ取得手段であるカードリーダ５３に利用者のＩＣカード５２をセットすることにより、当該利用者の利用者ＩＤが取得されて中央制御部１１に送られ、カラオケホスト装置２００に記録されている当該利用者の利用者情報が中央制御部１１に取り込まれる（ステップ101）。
【００２３】
利用者ＩＤが取得されてカラオケシステムにログインすると、取得された利用者ＩＤに基づいて、カラオケホスト装置２００に記録されている「利用者別選択背景映像記録テーブル」をダウンロードしてカラオケ演奏装置１０に記録する。この「利用者別選択背景映像記録テーブル」を表１に示す。このテーブルには、利用者ＩＤと、後述する楽曲と背景映像を選択したときの楽曲ＩＤと背景映像ＩＤと映像選択回数が記録される。
【００２４】
【表１】
2007271814.tif 000003
【００２５】
当該利用者はリモコン装置５０にて所望の楽曲を選択するとともに、利用者の希望に応じて背景映像を選択する（ステップ102）。図４に示す楽曲一覧から例えば「愛の形」を選択すれば、図５に示すように画面の隅の箇所に「背景画像選択」ボタンが表示される。当該利用者は背景映像を選択するかどうかを決める（ステップ105）。
【００２６】
もし、利用者が背景映像の選択を希望しない場合で、後述する当該利用者のデフォルト設定がある場合は、「転送」ボタンを押すことにより、当該利用者ＩＤ及び楽曲ＩＤが選曲情報信号としてカラオケ演奏装置１０に送られ、当該利用者ＩＤと楽曲ＩＤとをキーとして、前述したカラオケ演奏装置１０にダウンロードされている「利用者別選択背景映像記録テーブル」にデフォルト設定されている背景映像ＩＤと選択された楽曲ＩＤとが紐付けされ予約登録される（ステップ104→105）。
【００２７】
もし、背景映像のデフォルト設定がない場合は、「転送」ボタンを押すことにより、当該利用者ＩＤ及び楽曲ＩＤが選曲情報信号としてカラオケ演奏装置１０の中央制御部１１に送られて、楽曲ＩＤに応じて予めシステムが規定している背景映像ＩＤが選択され、楽曲の予約が行われる（ステップ104→106）。
【００２８】
ステップ103で利用者による背景画像の選択があった場合は、図６に示すように、リモコン装置５０に先ず背景映像のジャンルが表示される。例えば「１自然」「２動物」「３花」「４都会」「５コマーシャル」などのジャンルが表示され、利用者は所望するジャンルの番号を選択する。本発明では、前記ジャンルに、少なくとも所定の企業もしくは企業商品を表示するコマーシャル背景映像に対応したコマーシャルジャンルが含まれている（以下コマーシャルをＣＭと表記する）。
【００２９】
利用者が「ＣＭ」ジャンルを選択したときは、図７に示すように、「ＣＭ」ジャンルの中からさらに複数のＣＭ背景映像のメニューが表示され、利用者はその中から所望するＣＭ背景映像の番号を選択する。例えば、「２エコー堂化粧品」を選択すれば、「エコー堂化粧品」の背景映像ＩＤと当該利用者ＩＤと選択された楽曲ＩＤとが紐付けされ、「転送」ボタンを押すことにより、次のデータが選曲情報信号としてカラオケ演奏装置１０に送られて予約登録される（ステップ106）。
【００３０】
DK_TAROU(当該利用者ＩＤ)＋1111-11(楽曲ＩＤ)＋A33115(背景映像ＩＤ)
なお、背景映像ジャンル選択画面で、利用者が例えば「動物」のジャンルを選択すれば、「動物」ジャンルの中からさらに「いぬ」や「ことり」などの背景映像を選択することができ、それらの背景映像ＩＤが紐付けされて予約登録される。そして、当該利用者が予約登録した楽曲の演奏がスピーカ１９から再生されるとともに、選択された背景映像と当該楽曲の歌詞文字群が、楽曲の進行に同期してモニタ２２に表示される（ステップ108）。
【００３１】
そして、「利用者別選択背景映像記録手段」により、リモコン装置５０から転送された利用者ＩＤと背景映像ＩＤをキーとして、前述したカラオケ演奏装置１０にダウンロードされている「利用者別選択背景映像記録テーブル」の映像選択回数を更新する。更新された「利用者別選択背景映像記録テーブル」を表２に示すが、A33115の背景映像ＩＤの選択回数が１回増加している。
【００３２】
【表２】
2007271814.tif 000004
【００３３】
カラオケ演奏装置１０では、所定の楽曲における当該利用者が選択した背景映像の選択頻度を判別する。映像選択回数の規定値を例えば１０と設定してあれば、この選択頻度が予め決められた基準値以上になったときは、この背景映像ＩＤ(A33115) にフラグをたてて、当該利用者ＩＤ(DK_TAROU)が所定の楽曲ＩＤ(A33115)を選択したときの背景映像としてデフォルト設定する（ステップ110）。
【００３４】
特定の背景映像がデフォルト設定されると、ステップ103で前述したように、当該利用者が背景映像を選択しなくても「転送」ボタンを押せばデフォルト背景映像が自動的に選択される。もし、デフォルトを解除したい場合は、図５の画面で「背景映像選択」ボタンを押せばデフォルト設定が解除され、図６の背景映像選択画面が表示される。また、当該利用者がログアウトしたときは、当該利用者ＩＤについて「利用者別選択背景映像記録テーブル」をカラオケホスト装置２００にアップロードして記録を更新する。
【００３５】
このように、リモコン装置５０のＧＵＩ５１と、カラオケ演奏装置１０の中央制御部１１、ハードディスク装置１３、映像制御部２１、モニタ２２とで背景映像選択手段が構成され、カラオケ演奏装置１０の中央制御部１１およびカラオケホスト装置２００のＣＭ管理サーバとで利用者別選択背景映像記録手段が構成される。
【００３６】
そして、当該利用者が少なくとも前記所定の楽曲を予約登録したときは、前記デフォルト設定された背景映像が自動的に表示されるので、背景映像の選択入力の手間が省けて操作性を向上することができる。もちろん、利用者が他の背景映像を所望する場合は、デフォルト設定を簡単に解除することができる。
【００３７】
なお、本発明は、本発明の精神を逸脱しない限り種々の改変を為すことができ、そして、本発明が該改変されたものに及ぶことは当然である。
【図面の簡単な説明】
【００３８】
【図１】本発明に係るカラオケシステムの全体構成図。
【図２】本発明に係る制御手順のフローチャート。
【図３】本発明に係る制御手段のブロック図。
【図４】本発明に係る背景映像選択画面の説明図。
【図５】本発明に係る背景映像選択画面の説明図。
【図６】本発明に係る背景映像選択画面の説明図。
【図７】本発明に係る背景映像選択画面の説明図。
【符号の説明】
【００３９】
１０  カラオケシステム
１１  中央制御部
１３  ハードディスク装置
２１  映像制御部
２２  モニタ
５０  リモコン装置
５１  予約入力部
【図１】
2007271814.tif 000005
【図２】
2007271814.tif 000006
【図３】
2007271814.tif 000007
【図４】
2007271814.tif 000008
【図５】
2007271814.tif 000009
【図６】
2007271814.tif 000010
【図７】
2007271814.tif 000011